(57)【要約】      （修正有）【課題】前、後縫針保護片のタイミング等のズレをそれぞれ調整することで、ミシンの縫製品質が更に向上するミシンの縫針保護装置を提供する。【解決手段】ミシンの縫針保護装置１は、第一縫針支持機構１０及び第二縫針支持機構３０を含む。第一縫針支持機構１０は第一偏心輪１１、第一連桿１２及び第一縫針支持部品１３を含み、第一偏心輪１１は主軸８２を嵌入し、第一連桿１２は第一偏心輪１１を連接し、第一縫針支持部品１３は連桿を挿入する。第二縫針支持機構３０は第一縫針支持機構１０に対応して設置する。第二縫針支持機構３０は第二偏心輪３１、第二連桿及び第二縫針支持部品３３を含み、第二偏心輪３１は主軸８２を嵌入し、更に第一偏心輪１１と分離設置し、第二連桿は第二偏心輪３１を連接し、第二縫針支持部品３３は第二連桿を挿入する。【選択図】図２
0003210615.tif 000002
【実用新案登録請求の範囲】
【請求項１】
ミシンは主軸を備え、第一縫針支持機構と第二縫針支持機構から構成されたミシンの縫針保護装置において、そのうち縫針保護装置は、
第一偏心輪、第一連桿及び第一縫針支持部品を含み、該第一偏心輪は該主軸を嵌入し、該第一連桿は該第一偏心輪を連接し、該第一縫針支持部品は該第一連桿に挿入する第一縫針支持機構と
該第一縫針支持機構に対応して設置し、第二偏心輪、第二連桿及び第二縫針支持部品を含み、該第二偏心輪は該主軸を嵌合し更に該第一偏心輪と分離設置し、該第二連桿は該第二偏心輪を連接し、該第二縫針支持部品は該第二連桿に挿入する第二縫針支持機構を含むことを特徴とするミシンの縫針保護装置。
【請求項２】
前記第一連桿は二又形体であり、該二又形体は、二又部及び該二又部から延びた締付部を含み、該第一偏心輪は偏心部を備え、該第一縫針支持部品は前軸桿を備え、該二又部は該偏心部を挟持し、該前軸桿は該締付部に挿入することを特徴とする請求項１記載のミシンの縫針保護装置。
【請求項３】
前記第一縫針支持機構は、更に含油棉を含み、在該二又部の根部には該含油棉を設置する凹部を形成することを特徴とする請求項２記載のミシンの縫針保護装置。
【請求項４】
前記第一偏心輪は、更に該偏心部を連接する基部及び該基部と該偏心部を貫通する中心孔を含み、該中心孔は該主軸に嵌入し、更にネジ部品で固定することを特徴とする請求項２記載のミシンの縫針保護装置。
【請求項５】
前記第一縫針支持部品は、更に該前軸桿を連接する前縫針支持台及び該前縫針支持台の該前軸桿から遠い一端に連接する前縫針保護片を含むことを特徴とする請求項２記載のミシンの縫針保護装置。
【請求項６】
前記第二連桿は二又形体であり、該二又形体は二又部及び該二又部から延びた締付部を含み、該第二偏心輪は偏心部を備え、該第二縫針支持部品は後軸桿を備え、該二又部は該偏心部を挟持し、該後軸桿は該締付部に挿入することを特徴とする請求項１記載のミシンの縫針保護装置。
【請求項７】
前記第二偏心輪は、更に該偏心部を連接する基部及び該基部と該偏心部を挿入する中心孔を含み、該中心孔は該主軸を嵌入し、更にネジ部品で固定することを特徴とする請求項６記載のミシンの縫針保護装置。
【請求項８】
前記第二縫針支持部品は、更に該後軸桿を連接する後縫針支持台及び該後縫針支持台の該後軸桿に遠い一端に連接する後縫針保護片を含むことを特徴とする請求項６記載のミシンの縫針保護装置。
【考案の詳細な説明】
【技術分野】
【０００１】
本考案は、ミシン技術に関するもので、特にミシンの縫針保護装置に係る。
【背景技術】
【０００２】
ミシンの縫針が縫製待ち布に穿刺した後、歪み等の状況が発生するのを防止するため、ミシンの床台には縫針保護装置を設置する。縫針の移動ルートの両側で縫針を軽く押さえて偏りを減らすことにより、有効な縫製を確保する。本考案者は前述の基礎を元に、縫針保護装置に対して改善を実施する。
【０００３】
現行のミシンの縫針保護装置は、主に一体式偏心輪、もしくは連動機構を含み、それによって各縫針支持部品を相対させた開閉動作によって縫針を保護する。
【先行技術文献】
【特許文献】
【０００４】
【特許文献１】実開平７−３９７６８号公報
【考案の概要】
【考案が解決しようとする課題】
【０００５】
解決しようとする問題点は、一体式偏心輪は製造公差と公差に関する要素によって、往々にして縫針と各縫針保護片のタイミング等ズレ関係を調整できないことがある。他に連動機構を利用する件に付き、その各部品が完成すると、各部品のタイミング等のズレ関連はすでに固定されてしまい、それによって前述の一体式偏心輪の諸多問題が残り続け、更には縫針と各縫針保護片の他イング等のズレの調整が困難になってしまう点である。
【課題を解決するための手段】
【０００６】
本考案は、第一縫針支持機構及び第二縫針支持機構を含む。第一縫針支持機構は第一偏心輪、第一連桿及び第一縫針支持部品を含み、第一偏心輪は主軸を嵌入し、第一連桿は第一偏心輪を連接し、第一縫針支持部品は連桿を挿入する。第二縫針支持機構は第一縫針支持機構に対応して設置する。第二縫針支持機構は第二偏心輪、第二連桿及び第二縫針支持部品を含み、第二偏心輪は主軸を嵌入し、更に第一偏心輪と分離設置し、第二連桿は第二偏心輪を連接し、第二縫針支持部品は第二連桿を挿入することを最も主要な特徴とする。
【考案の効果】
【０００７】
本考案のミシンの縫針保護装置は、前、後縫針保護片のタイミング等のズレをそれぞれ調整することで、ミシンの縫製品質が更に向上するミシンの縫針保護装置を提供する。
【０００８】
本考案は更に以下の効果を備える。各連桿は二又形方式で設置するため、各偏心輪と組立しやすく、更に組立の難度と簡易性が向上する。全体的な構造が簡単で、部品が単純であるため、後日のメンテナンスがし易い。連桿の二又部に設置した凹部は含油棉の設置に使用されることによって、各偏心輪と連桿の間の潤滑效果を提供する。
【図面の簡単な説明】
【０００９】
【図１】本考案の縫針保護装置の立体分解図である。
【図２】本考案の縫針保護装置の組立外観図である。
【図３】本考案の縫針保護装置の別の角度から見た組立外観図である。
【図４】本考案の縫針保護装置の組立断面図である。
【図５】本考案の縫針保護装置をミシンに応用した組立指示図である。
【図６】本考案の保護装置をミシンに応用した使用状態図である。
【考案を実施するための形態】
【００１０】
各偏心輪の分離設置によって、前、後縫針保護片のタイミング等のズレをそれぞれ調整し、更にミシンの縫製品質を向上するミシンの縫針保護装置を提供することを本考案の一目的とする。
【００１１】
上述の目的を達成するため、本考案はミシンの縫針保護装置を提供する。該ミシンは主軸を備え、該縫針保護装置は第一縫針支持機構及び第二縫針支持機構を含む。該第一縫針支持機構は第一偏心輪、第一連桿及び第一縫針支持部品を含み、該第一偏心輪は該主軸を嵌入し、該第一連桿は該第一偏心輪を連接し、該第一縫針支持部品は該第一連桿に挿入する。該第二縫針支持機構は該第一縫針支持機構に対応して設置し、該第二縫針支持機構は第二偏心輪、第二連桿及び第二縫針支持部品を含む。該第二偏心輪は該主軸を嵌入し、更に該第一偏心輪と分離設置する。該第二連桿は該第二偏心輪を連接し、該第二縫針支持部品は該第二連桿を挿入する。
【実施例】
【００１２】
本考案の詳細を図式を用い、以下に説明する。しかし、図式は説明のための参考に過ぎず、本考案を制限するものではない。
【００１３】
図１から図４に示すとおり、本考案はミシンの縫針保護装置を提供し、それは主に第一縫針支持機構１０及び第二縫針支持機構３０を含む。
【００１４】
第一縫針支持機構１０は、第一偏心輪１１、第一連桿１２及び第一縫針支持部品１３を含む。第一偏心輪１１は円筒体であり、それは基部１１１、基部１１１から延びた偏心部１１３及び基部１１１と偏心部１１３を貫通する中心孔１１４を備え、基部１１１の周径位置には複数のネジ孔１１２を穿設し、ネジ等のネジ止め部品で螺設するにのに用いる。偏心部１１３の中心孔１１４は偏心形態で配置し、中心孔１１４には主軸８２を嵌入し、ネジ止め部品で固定する。
【００１５】
第一連桿１２は、当実施例では二又形体であり、それは二又部１２１及び二又部１２１から延びた締付部１２２を含み、並びに二又部１２１の根部位置には凹部１２３を成形し、その凹部１２３は含油棉１４の設置に提供される。第一連桿１２は、その二又部１２１を第一偏心輪１１の偏心部１１３に対応させて連接する。第一縫針支持部品１３は前縫針支持台１３１、前縫針支持台１３１から延びた前軸桿１３２及び前縫針支持台１３１の前軸桿１３２に遠い一端に連接する前縫針保護片１３３を含み、そのうち前軸桿１３２は前述締付部１２２に対応して挿入して固定される。
【００１６】
第二縫針支持機構３０は、第一縫針支持機構１０に対応して共に設置する。第二縫針支持機構３０は第二偏心輪３１、第二連桿３２及び第二縫針支持部品３３を含む。そのうち第二偏心輪３１は、前述第一偏心輪１１と分離設置し、即ちそれは二個が各自独立した部品である。第二偏心輪３１は円筒体であり、それは基部３１１、基部３１１から延びた偏心部３１３及び基部３１１と偏心部３１３を貫通する中心孔３１４を備える。基部３１１の周径位置には複数のネジ孔３１２を穿設し、ネジ等のネジ止め部品で螺合するにのに用い、偏心部３１３の中心孔３１４は偏心形態で配置する。中心孔３１４は前述主軸８２を嵌入してネジ止め部品で固定し、そのうち第二偏心輪３１は第一偏心輪１１の前側に成形する。
【００１７】
第二連桿３２は、当実施例では二又形体であり、それは二又部３２１及び二又部３２１から延びた締付部３２２を含む。第二連桿３２は、その二又部３２１を第二偏心輪３１の偏心部３１３に対応して連接する。第二縫針支持部品３３は、後縫針支持台３３１、後縫針支持台３３１から延びた後軸桿３３２及び後縫針支持台３３１の軸桿３３２から遠い一端に連接した後縫針保護片３３３を含み、そのうち軸桿３３２は前述締付部３２２に対応して挿入して固定される。
【００１８】
図５と図６に示すとおり、前述各部品をミシン８に設置する。そのうちミシン８は機体８１、機体８１内部に設置する主軸８２、機体８１に設置する縫針８３及び針板８４を備える。操作時、主軸８２の回転と縫針８３の上下移動が相互連動し、そのうち主軸８２が回転すると、同時に第一偏心輪１１と第二偏心輪３１を伴い回転させ、その時第一連桿１２は第一偏心輪１１の駆動を受けて第一縫針支持部品１３を伴い往復式前後運動し、同時に第二連桿３２は受到第二偏心輪３１の駆動を受けて第二縫針支持部品３３を往復式で前後に運動させる。それによって前縫針保護片１３３と後縫針保護片３３３は片と片が合わさり縫針支持動作を行う。
【００１９】
縫製時、縫製待ち布９を針板８４上方に置き、ミシン８の縫針８３がその運動軌跡の上死点位置の時、前縫針保護片１３３と後縫針保護片３３３はそれぞれ前後端の極限位置に至る。そして縫針８３は下向きに移動してミシン８の針板８４上の縫製待ち布９に刺した後、下死点位置に至り、その時前縫針保護片１３３と後縫針保護片３３３は縫針８３方向に向けて閉合運動し、縫針８３の両側(図６参照)を押さえる。このようにして縫針８３を歪ませないようにして切断等不良状況が発生することがなく、更に縫針８３を保護する効果をもたらす。反対に縫針８３に於いて上向きに移動する時、前縫針保護片１３３と後縫針保護片３３３は縫針８３から遠ざかる方向に向けて展開運動する。
【００２０】
上述のとおり、本考案のミシンの縫針保護装置は、予定した使用目的を達成し、公知の欠点を改善する。また、新規性及び進歩性を備えることから完全に実用新案登録申請の要件に合致する。
【符号の説明】
【００２１】
１        縫針保護装置
１０        第一縫針支持機構
１１        第一偏心輪
１１１        基部
１１２        ネジ孔
１１３        偏心部
１１４        中心孔
１２        第一連桿
１２１        二又部
１２２        締付部
１２３        凹部
１３        第一縫針支持部品
１３１        前縫針支持台
１３２        前軸桿
１３３        前縫針保護片
１４        含油綿
３０        第二縫針支持機構
３１        第二偏心輪
３１１        基部
３１２        ネジ孔
３１３        偏心部
３１４        中心孔
３２        第二連桿
３２１        二又部
３２２        締付部
３３        第二縫針支持部品
３３１        後縫針支持台
３３２        後軸桿
３３３        後縫針保護片
８        ミシン
８１        機体
８２        主軸
８３        縫針
８４        針板
９        縫製待ち布
【図１】
0003210615.tif 000003
【図２】
0003210615.tif 000004
【図３】
0003210615.tif 000005
【図４】
0003210615.tif 000006
【図５】
0003210615.tif 000007
【図６】
0003210615.tif 000008